(57)【要約】【課題】テンプル部の着脱を容易化すると共に、テンプル部の固定を確実にする。【解決手段】智部４に水平回転自在に設けた回転体５の側面にテンプル部６の基端側を差し込む嵌合孔９を穿設し、該嵌合孔９の入出口の上下部夫々に入出口中心方向に付勢されるストッパー11、11ａを上下動自在に設ける一方、テンプル部６は、その基端寄りにてテンプル軸13の上下部夫々に前記ストッパー11、11ａと係合する係止面14を夫々上下方に突出形成し、該係止面14の突端からテンプル部６の基端までにテーパー部15を設けて、テンプル部６の基端側を先細り状に形成することによって、テンプル部６の着脱時にストッパー11、11ａを上下動させて着脱を容易にし、使用時にはストッパー11、11ａと係止面14とを係合させて固定する。【選択図】図２
0003119349.tif 000002
【実用新案登録請求の範囲】
【請求項１】
智部に水平回転自在に設けた回転体の側面にテンプル部の基端側を差し込む嵌合孔を穿設し、該嵌合孔の入出口の上下部夫々に入出口中心方向に付勢されるストッパーを上下動自在に設ける一方、
テンプル部は、その基端寄りにてテンプル軸の上下部夫々に前記ストッパーと係合する係止面を夫々上下方に突出形成し、該係止面の突端からテンプル部基端までにテーパー部を設けて、テンプル部基端側を先細り状に形成したことを特徴とする眼鏡フレーム。
【請求項２】
智部に垂設した円筒状のホルダー部の側面にその周方向に沿って窓部を開設し、かかるホルダー部に円柱状の回転体を摺動回転自在に挿嵌し、前記窓部にテンプル部の基端側を挿通すると共に、該基端側を回転体の嵌合孔に嵌着したことを特徴とする請求項１記載の眼鏡フレーム。
【請求項３】
回転体の側面であって嵌合孔の入出口の上下部夫々に凹溝を周設すると共に、該凹溝を入出口に連通させ、かかる凹溝にストッパーとしてリングスプリングを装着し、嵌合孔の入出口側であって、上側凹溝の上部と下側凹溝の下部に平面視略半円形のリングスプリング退避間隙を設けたことを特徴とする請求項１又は２記載の眼鏡フレーム。
【請求項４】
嵌合孔の終端部に弾性体を収納し、またテンプル部の基端に長さ調整部を伸縮自在に設けたことを特徴とする請求項１、２又は３記載の眼鏡フレーム。
【請求項５】
嵌合孔を回転体半径方向への貫通孔としたことを特徴とする請求項４記載の眼鏡フレーム。
【考案の詳細な説明】
【技術分野】
【０００１】
本考案は、テンプル部の着脱を容易化すると共に、テンプル部の固定を確実にした眼鏡フレームに関する。
【背景技術】
【０００２】
従来より、眼鏡フレームは一般的には左右レンズ枠やブリッジを主体としてフロント部を形成し、該フロント部の両脇に智部を設け、該智部に蝶番を介してテンプル部を螺子止めしていた。
【考案の開示】
【考案が解決しようとする課題】
【０００３】
ところが、破損等してテンプル部の交換を要するときには、微細螺子を扱わねばならないことから、交換作業が甚だ面倒で煩わしかった。
そこで、磁石によりテンプル部の着脱を容易にした眼鏡フレームが提供されたが、この様なものは、テンプル部の固定が緩いことから、激しい運動等の際には適さなかった。
【課題を解決するための手段】
【０００４】
本考案は、上記課題に鑑み、智部に水平回転自在に設けた回転体の側面にテンプル部の基端側を差し込む嵌合孔を穿設し、該嵌合孔の入出口の上下部夫々に入出口中心方向に付勢されるストッパーを上下動自在に設ける一方、テンプル部は、その基端寄りにてテンプル軸の上下部夫々に前記ストッパーと係合する係止面を夫々上下方に突出形成し、該係止面の突端からテンプル部基端までにテーパー部を設けて、テンプル部基端側を先細り状に形成することによって、テンプル部着脱時にストッパーを上下動させて着脱を容易にし、使用時にはストッパーと係止面とを係合させ固定する様にして、上記課題を解決する。
【考案の効果】
【０００５】
要するに本考案は、智部に水平回転自在に設けた回転体の側面にテンプル部の基端側を差し込む嵌合孔を穿設し、該嵌合孔の入出口の上下部夫々に入出口中心方向に付勢されるストッパーを上下動自在に設ける一方、テンプル部は、その基端寄りにてテンプル軸の上下部夫々に前記ストッパーと係合する係止面を夫々上下方に突出形成し、該係止面の突端からテンプル部基端までにテーパー部を設けて、テンプル部基端側を先細り状に形成したので、先ずテンプル部差し込み時は基端側が先細り状であるため、テーパー部によりストッパーは徐々に押上げ（又は押下げ）られ、この時ストッパーは入出口中心方向に付勢されているから、係止面突端を過ぎると元の位置に戻り係止面とストッパーは係合する。
又、テンプル部抜き取り時はテンプル部を捻って回転させ、係止面を左右に位置させれば、係合は解除される。
この様に、テンプル部の着脱が容易であり、また嵌着時は係合によって、テンプル部は確実に固定される。
従って、誰でも簡単に着脱でき、例えば、使用者自身がデザインの異なる複数種類のフロント部とテンプル部を保有すれば、ＴＰＯに合わせ、様々に組合わせて、好みのフアッションを楽しむことが出来る。
【０００６】
智部に垂設した円筒状のホルダー部に円柱状の回転体を摺動回転自在に挿嵌したので、回転体を確実に支持でき、また、ホルダー部の側面にその周方向に沿って窓部を開設し、該窓部にテンプル部の基端側を挿通して、該基端側を回転体の嵌合孔に嵌着したので、テンプル部の開閉時（回転体の回転時）に窓部の両端にテンプル部が当接するため、窓部の横幅を適切に設定して、テンプル部の開閉端位置を決めることが出来る。
【０００７】
回転体の側面であって嵌合孔の入出口の上下部夫々に凹溝を周設すると共に、該凹溝を入出口に連通させ、かかる凹溝にストッパーとしてリングスプリングを装着したので、テンプル部嵌着後にテンプル部抜き取り方向にかかる力は、リングスプリング半径方向であるため、ストッパーが損壊し難く、またリングスプリング外周は円筒状ホルダー部の内周に当接するため確実に踏み止まって、テンプル部を保持、固定することが出来る。
又、上側凹溝ではその上部、下側凹溝ではその下部であって、嵌合孔入出口側に平面視略半円形のリングスプリング退避間隙を設けたので、リングスプリングは凹溝後半部と退避間隙との境界を支点にして撓み変形可能となり、リングスプリングの嵌合孔入出口側の略半分はテンプル部差し込み時にテンプル部基端テーパー部により退避間隙側へと押し退けられ、係止面を過ぎれば弾性によって、元の位置に戻り、係止面とリングスプリングの内周面とが係合する。
この様に、確実に作動させて、信頼性のとても高いものとすることが出来る。
【０００８】
嵌合孔の終端部に弾性体を収納し、またテンプル部の基端に長さ調整部を伸縮自在に設けたので、係止面から長さ調整部の先端までの長さを調整して、長さ調整部を弾性体に押し当てれば、弾性体の反力によって、係止面はストッパーに押し付けられ、嵌合状態を安定させることが出来る。
【０００９】
嵌合孔を回転体半径方向への貫通孔としたので、弾性体は嵌合孔の終端部側から僅かに突出し、円筒状ホルダー部の内周を押圧することから、長さ調整部の操作により、押圧力を加減し、回転体稼働の手応えを好みに応じて調整して、使い心地を向上させることが出来る等その実用的効果甚だ大である。
【考案を実施するための最良の形態】
【００１０】
図１〜５に示す様に、本考案の眼鏡フレームは、基本的にはレンズ枠１やブリッジ２を主体としてフロント部３を形成し、該フロント部３の両脇に智部４を設け、該智部４に水平回転自在に設けた回転体５の側面にテンプル部６の基端を着脱自在に取付けたものであり、図１に示す様に、テンプル部６の開閉終始端の中間位置（開閉終始端から約４５°の角度をなす位置）にてテンプル部６を装着、及び取脱可能としている。
尚、図面上省略したが、テンプル部６の基端の反対側には耳掛部が設けられている。
【００１１】
以下、実施例に基づき本考案について更に詳述する。
図２に示す様に、この実施例の眼鏡フレームは、智部４に円筒状のホルダー部７を垂設し、該ホルダー部７に円柱状の回転体５を摺動自在に挿嵌して、回転体５を支持すると共に、水平回転自在となしている。
尚、回転体５の素材は、金属の他、摺動抵抗を減少させるために、プラスチックでも良く、また金属の場合はテフロン（登録商標）など摺動抵抗の小さな素材で回転体５の側面を被覆する様にしても良い。
【００１２】
ホルダー部７は、その側面に周方向に沿って窓部８を開設し、該窓部８の中央（テンプル部６の着脱位置）では上下辺部を夫々上下方に切欠いている。
尚、この切欠は、テンプル部６の基端の縦横比が略同じであれば、必ずしも必要ではなく、また縦横比が異なっても、窓部８全体の上下丈をテンプル部６の着脱が可能な寸法にすれば良いが、切欠を設けて、窓部８を細くし、ホルダー部７の内部を隠す様にした方が外観上好ましい。
【００１３】
一方、回転体５は、その側面の上記窓部８に臨む位置にテンプル部６の基端側を差し込む嵌合孔９を穿設し、該嵌合孔９の入出口の上部及び下部に凹溝10、10ａを周設すると共に、両凹溝10、10ａを入出口に連通させ、かかる凹溝10、10ａにストッパーとしてリングスプリング11、11ａを装着している。
又、嵌合孔９の入出口側であって、上側凹溝10ではその上部、下側凹溝10ａではその下部に平面視略半円形のリングスプリング退避間隙12、12ａを設けて、リングスプリング11、11ａの入出口側約半分を上下動自在と成している。
【００１４】
テンプル部６はその基端に特徴を有し、基端寄りの位置にてテンプル軸13の上部及び下部に前記ストッパー（リングスプリング11、11ａ）と係合する係止面14を夫々上下方に突出形成し、該係止面14の突端からテンプル部６の基端までにテーパー部15を設けて、テンプル部６の基端側を先細り状に形成している。
そして、窓部８にテンプル部６の基端側を挿通すると共に、該基端側を回転体５の嵌合孔９に嵌着する様にしている。
【００１５】
更には、嵌合孔９の終端部にウレタンゴムから成る弾性体16を収納し、またテンプル部６の基端に長さ調整部17を伸縮自在に設けても良く、長さ調整部17の構成は適宜であるが、例えば、本例の様に基端面に螺子を突設しても良く、これにより、係止面14から長さ調整部17の先端までの長さを調整して、長さ調整部17を弾性体16に押圧させれば、弾性体16の反力によって、係止面14はリングスプリング11、11ａの内周に押し付けられ、嵌合状態が安定する。
又、嵌合孔９を回転体５の半径方向への貫通孔とし、弾性体16を嵌合孔９の終端部側から僅かに突出させ、円筒状ホルダー部７の内周を押圧させて、長さ調整部17の操作により、押圧力を加減し、回転体稼働の手応えを調整する様にしても良い。
尚、弾性体16は、ウレタンゴムに替えてコイルバネ等を用いても良く、バネを適宜選択して付勢力を適切に設定すれば、必ずしも調整部17は必要ではない。
【００１６】
次に、この眼鏡フレームの作用について説明する。
図３〜５にテンプル部６の着脱の様子を示す。
尚、説明の便宜上、図３及び５では、ホルダー部７を省略して表したが、実際の使用時にはホルダー部７に回転体５を挿嵌した状態にてテンプル部６を着脱する。
図３に示す様に、先ず回転体５の嵌合孔９にテンプル部６の基端を差し込みそまま押し込んでいくと、リングスプリング11、11ａはテンプル部６のテーパー部15により上下方に押し広げられ、凹溝10、10ａ後半部と退避間隙12、12ａとの境界を支点に撓み変形しながら、退避間隙12、12ａ側へリングスプリング11、11ａの前半部分は退く。
そして、係止面14の突端がリングスプリング11、11ａを過ぎると、リングスプリング11、11ａの変形部分は弾性によって、元の位置に戻り、図４に示す様に、リングスプリング11、11ａの内周は係止面14に係合され、テンプル部６は固定される。
又、テンプル部６の抜き取り時はテンプル部６を捻って９０°回転させ、係止面14を左右に位置させれば、係合は解除される。
因みに、嵌合孔９はテンプル部６の嵌着時にテンプル部６が回転可能な寸法に設定されている。
【図面の簡単な説明】
【００１７】
【図１】本考案に係る眼鏡フレームの要部の概略平面図である。
【図２】要部の分解斜視図である。
【図３】回転体にテンプル部を差し込む状態を示す要部の斜視図である。
【図４】テンプル部を取付けた状態の要部の概略水平断面図である。
【図５】回転体からテンプル部を抜き取る状態を示す要部の斜視図である。
【符号の説明】
【００１８】
４        智部
５        回転体
６        テンプル部
７        ホルダー部
８        窓部
９        嵌合孔
10、10ａ  凹溝
11、11ａ  リングスプリング（ストッパー）
12、12ａ  退避間隙
13        テンプル軸
14        係止面
15        テーパー部
16        弾性体
17        長さ調整部
【図１】
0003119349.tif 000003
【図２】
0003119349.tif 000004
【図３】
0003119349.tif 000005
【図４】
0003119349.tif 000006
【図５】
0003119349.tif 000007